(57)【要約】【課題】作業性がよく、ケーブルの布設を行うことが可能なケーブルの布設方法および連結ユニットの提供【解決手段】  電柱１０間に架設されたメッセンジャーワイヤー１１に、一方の電柱１０ａ付近で、螺旋状ハンガーユニット１２等を吊り下げ、螺旋状ハンガーユニット１２１の先端およびリードワイヤー１３の先端を連結ユニット１４を介して接続し、リードワイヤー１４を送り出しつつ、螺旋状ハンガーユニット１２１の後端に別の螺旋状ハンガーユニット１２２を接続する作業を繰り返し、螺旋状ハンガーユニット１２１を他方の電柱１０ｂ付近まで送り出した後、螺旋状ハンガー１２をメッセンジャーワイヤー１１に固定し、その後、ケーブル１６を電柱間に布設する。
2021530186.tif 000002
【特許請求の範囲】
【請求項１】
先端にコネクタを備えるリードワイヤーを用いて、電柱間に架設されたメッセンジャーワイヤーに、先端コネクタおよび後端コネクタを備える螺旋状ハンガーユニットが複数接続した螺旋状ハンガーが吊り下げられ、前記螺旋状ハンガーの内部空間にケーブルが挿通されるケーブルの布設方法であって、
下記の（１）〜（５）の工程を備えるケーブルの布設方法。
（１）一方の電柱付近において、複数の前記螺旋ハンガーユニットのうち、最先端の第一螺旋状ハンガーユニットの内部空間に、前記リードワイヤーが挿通され、前記第一螺旋状ハンガーユニットの先端コネクタと前記リードワイヤーのコネクタとが連結ユニットを介して接続された状態で、前記第一螺旋状ハンガーユニットが前記メッセンジャーワイヤーに吊り下げられる工程、
（２）前記第一螺旋状ハンガーユニットの後端コネクタに、前記リードワイヤーが挿通された他の螺旋状ハンガーユニットの先端コネクタが接続された状態で、前記リードワイヤーが他方の電柱に向かって送り出される工程、
（３）前記他の螺旋状ハンガーユニットの後端コネクタに、前記リードワイヤーが挿通された他の螺旋状ハンガーユニットの先端コネクタが接続され、前記リードワイヤーが他方の電柱に向かって送り出される作業を、前記リードワイヤーの先端コネクタが前記他方の電柱付近に到達するまで繰り返す工程、
（４）前記連結ユニットが、前記第一螺旋状ハンガーユニットの先端コネクタおよび前記リードワイヤーのコネクタから取り外される工程、および
（５）前記第一螺旋状ハンガーユニットの先端部が、前記メッセンジャーワイヤーに固定され、前記複数の螺旋状ハンガーユニットのうち、最後端の螺旋状ハンガーユニットの後端部が前記メッセンジャーワイヤーに固定される工程。
【請求項２】
前記連結ユニットが、一端に前記螺旋状ハンガーユニットの先端コネクタに嵌合する第一コネクタと、他端に前記リードワイヤーのコネクタに嵌合する第二コネクタとを備える棒状本体を有する、
請求項１に記載のケーブルの布設方法。
【請求項３】
前記（１）〜（５）の工程の後に、下記の（ａ１）〜（ａ３）の工程を備える、
請求項１または２に記載のケーブルの布設方法。
（ａ１）前記リードワイヤーの先端コネクタが、前記ケーブルの先端に取り付けられる工程、
（ａ２）前記リードワイヤーが、その先端コネクタが前記一方の電柱付近に到達するまで引き込まれる工程、および、
（ａ３）前記リードワイヤーの先端コネクタが、前記ケーブルの先端から取り外される工程。
【請求項４】
前記（１）〜（５）の工程の後に、下記の（ｂ１）〜（ｂ５）の工程を備える、
請求項１または２に記載のケーブルの布設方法。
（ｂ１）前記リードワイヤーの先端コネクタが、牽引ロープの先端コネクタに取り付けられる工程、
（ｂ２）前記リードワイヤーが、その先端コネクタが前記一方の電柱付近に到達するまで引き込まれる工程、
（ｂ３）前記牽引ロープの先端コネクタが、前記ケーブルの先端に取り付けられる工程、
（ｂ４）前記牽引ロープが、その先端コネクタが前記他方の電柱付近に到達するまで引き込まれる工程、および
（ｂ５）牽引ロープの先端コネクタが、前記ケーブルの先端から取り外される工程。
【請求項５】
前記ケーブルの先端に、前記リードワイヤーのコネクタに嵌合するコネクタを備える、
請求項１から４までのいずれかに記載のケーブルの布設方法。
【請求項６】
請求項１から５までのいずれかに記載のケーブルの布設方法に用いられる連結ユニットであって、
前記連結ユニットが、一端に前記螺旋状ハンガーユニットの先端コネクタに嵌合する第一コネクタと、他端に前記リードワイヤーのコネクタに嵌合する第二コネクタとを備える棒状本体を有する、
連結ユニット。
【請求項７】
前記棒状本体が、前記螺旋状ハンガーユニットの螺旋角度に沿った第一直線部と、前記螺旋状ハンガーユニットの進行方向に沿った第二直線部と、前記第一直線部と前記第二直線部とに接続された湾曲部を備える、
請求項６に記載の連結ユニット。
【発明の詳細な説明】
【技術分野】
【０００１】
本発明は、ケーブルの布設方法および連結ユニットに関する。
【背景技術】
【０００２】
電柱間にケーブルを布設する方法としては、電柱間に架設されたメッセンジャ−ワイヤ−に螺旋状ハンガーを吊り下げ、その螺旋状ハンガーの内部空間にケーブルを挿通する方法が知られている。
【０００３】
例えば、本発明者らは、特許文献１には、螺旋状ハンガーの先端と、リードワイヤーの先端とを先導滑車に接続し、先導滑車をメッセンジャ−ワイヤ上を移動させることによって、ケ−ブルの布設を行なう方法を開示している。
【０００４】
また、特許文献２には、電柱間に架設したメッセンジャーワイヤーに吊り下げた螺旋状ハンガーの先端に、重りとともにリードワイヤーを取り付け、順次送り出して、螺旋状ハンガーを施工する方法が開示されている。
【先行技術文献】
【特許文献】
【０００５】
【特許文献１】特開平９−７０１１７号公報
【特許文献２】特開２０００−２０１４１１号公報
【発明の概要】
【発明が解決しようとする課題】
【０００６】
特許文献１に開示された先導滑車を用いる方法は、らせん状ハンガー自体を押し込むことにより、らせん状ハンガーを一端から他端へ送り込む方式であり、送り込むほどに、先導滑車の自重と螺旋ハンガーの自重が増加していき、送り込みが困難となり、作業性が悪くなる。この問題は、電柱間の距離が５０ｍ以下の通常の布設の場合にも生じるが、５０ｍを超える長距離の布設の場合に顕著となる。また、先導滑車を用いる場合には、リードワイヤーの送り出し中に滑車がメッセンジャーワイヤーから外れると、その位置で、滑車をメッセンジャーワイヤーに載せなおす作業が生じ、作業時間が長期化する。
【０００７】
特許文献２には、重りとともにリードワイヤーを取り付ける方法が開示されているが、取り付け方法が明確にされていない。また、重りによって、メッセンジャーワイヤーと螺旋状ハンガーとの摩擦が増加し、リードワイヤーの送り出しが困難となり、作業性が悪い。この問題は、特に、電柱間の距離が長くなると顕著となる。
【０００８】
本発明は、螺旋状ハンガーのリードワイヤーへの取り付け、取り外し、リードワイヤーの送り出し、ケーブルのリードワイヤーへの取り付け、取り外しが容易であり、作業性がよいケーブルの布設方法および連結ユニットを提供することを目的とする。
【課題を解決するための手段】
【０００９】
本発明者らは、上記の目的を達成するべく、鋭意研究を重ね、本発明を完成させた。本発明は、下記の発明を要旨とする。
【００１０】
［１］先端にコネクタを備えるリードワイヤーを用いて、電柱間に架設されたメッセンジャーワイヤーに、先端コネクタおよび後端コネクタを備える螺旋状ハンガーユニットが複数接続した螺旋状ハンガーが吊り下げられ、前記螺旋状ハンガーの内部空間にケーブルが挿通されるケーブルの布設方法であって、
下記の（１）〜（５）の工程を備えるケーブルの布設方法。
（１）一方の電柱付近において、複数の前記螺旋ハンガーユニットのうち、最先端の第一螺旋状ハンガーユニットの内部空間に、前記リードワイヤーが挿通され、前記第一螺旋状ハンガーユニットの先端コネクタと前記リードワイヤーのコネクタとが連結ユニットを介して接続された状態で、前記第一螺旋状ハンガーユニットが前記メッセンジャーワイヤーに吊り下げられる工程、
（２）前記第一螺旋状ハンガーユニットの後端コネクタに、前記リードワイヤーが挿通された他の螺旋状ハンガーユニットの先端コネクタが接続された状態で、前記リードワイヤーが他方の電柱に向かって送り出される工程、
（３）前記他の螺旋状ハンガーユニットの後端コネクタに、前記リードワイヤーが挿通された他の螺旋状ハンガーユニットの先端コネクタが接続され、前記リードワイヤーが他方の電柱に向かって送り出される作業を、前記リードワイヤーの先端コネクタが前記他方の電柱付近に到達するまで繰り返す工程、
（４）前記連結ユニットが、前記第一螺旋状ハンガーユニットの先端コネクタおよび前記リードワイヤーのコネクタから取り外される工程、および
（５）前記第一螺旋状ハンガーユニットの先端部が、前記メッセンジャーワイヤーに固定され、前記複数の螺旋状ハンガーユニットのうち、最後端の螺旋状ハンガーユニットの後端部が前記メッセンジャーワイヤーに固定される工程。
【００１１】
［２］前記連結ユニットが、一端に前記螺旋状ハンガーユニットの先端コネクタに嵌合する第一コネクタと、他端に前記リードワイヤーのコネクタに嵌合する第二コネクタとを備える棒状本体を有する、
上記［１］のケーブルの布設方法。
【００１２】
［３］前記（１）〜（５）の工程の後に、下記の（ａ１）〜（ａ３）の工程を備える、
上記［１］または［２］のケーブルの布設方法。
（ａ１）前記リードワイヤーの先端コネクタが、前記ケーブルの先端に取り付けられる工程、
（ａ２）前記リードワイヤーが、その先端コネクタが前記一方の電柱付近に到達するまで引き込まれる工程、および、
（ａ３）前記リードワイヤーの先端コネクタが、前記ケーブルの先端から取り外される工程。
【００１３】
［４］前記（１）〜（５）の工程の後に、下記の（ｂ１）〜（ｂ５）の工程を備える、
上記［１］または［２］のケーブルの布設方法。
（ｂ１）前記リードワイヤーの先端コネクタが、牽引ロープの先端コネクタに取り付けられる工程、
（ｂ２）前記リードワイヤーが、その先端コネクタが前記一方の電柱付近に到達するまで引き込まれる工程、
（ｂ３）前記牽引ロープの先端コネクタが、前記ケーブルの先端に取り付けられる工程、
（ｂ４）前記牽引ロープが、その先端コネクタが前記他方の電柱付近に到達するまで引き込まれる工程、および
（ｂ５）牽引ロープの先端コネクタが、前記ケーブルの先端から取り外される工程。
【００１４】
［５］前記ケーブルの先端に、前記リードワイヤーのコネクタに嵌合するコネクタを備える、
上記［１］〜［４］のいずれかのケーブルの布設方法。
【００１５】
［６］上記［１］〜［５］のいずれかのケーブルの布設方法に用いられる連結ユニットであって、
前記連結ユニットが、一端に前記螺旋状ハンガーユニットの先端コネクタに嵌合する第一コネクタと、他端に前記リードワイヤーのコネクタに嵌合する第二コネクタとを備える棒状本体を有する、
連結ユニット。
【００１６】
［７］前記棒状本体が、前記螺旋状ハンガーユニットの螺旋角度に沿った第一直線部と、前記螺旋状ハンガーユニットの進行方向に沿った第二直線部と、前記第一直線部と前記第二直線部とに接続された湾曲部を備える、
上記［６］の連結ユニット。
【発明の効果】
【００１７】
本発明によれば、螺旋状ハンガーのリードワイヤーへの取り付け、取り外し、リードワイヤーと螺旋状ハンガーの送り出しが容易であり、作業性がよく、ケーブルの布設を行うことが可能となる。特に、本発明は、電柱間の距離が長い布設を行なう場合に有用である。
【図面の簡単な説明】
【００１８】
【図１】図１は、本実施形態に係るケーブルの布設方法を示す概略図である。
【図２】図２は、本実施形態に係るケーブルの布設方法の工程（１）を示す概略図である。
【図３】図３は、連結ユニットの接続前の状態を示す図である。
【図４】図４は、連結ユニットの接続後の状態を示す図である。
【図５】図５は、本実施形態に係るケーブルの布設方法の工程（２）を示す概略図である。
【図６】図６は、本実施形態に係るケーブルの布設方法の工程（３）を示す概略図である。
【図７】図７は、本実施形態に係るケーブルの布設方法の工程（４）および工程（５）を示す概略図である。
【図８】図８は、本実施形態に係るケーブルの布設方法の工程（ａ１）を示す概略図である。
【図９】図９は、本実施形態に係るケーブルの布設方法の工程（ａ１）を示す概略図である。
【図１０】図１０は、ケーブルとリードワイヤーとの接続前の状態を示す図である。
【図１１】図１１は、ケーブルとリードワイヤーとの接続後の状態を示す図である。
【図１２】図１２は、本実施形態に係るケーブルの布設方法の工程（ａ２）を示す概略図である。
【図１３】図１３は、他の実施形態に係るケーブルの布設方法の工程（ａ３）を示す概略図である。
【図１４】図１４は、他の実施形態に係るケーブルの布設方法の工程（ｂ１）を示す概略図である。
【図１５】図１５は、他の実施形態に係るケーブルの布設方法の工程（ｂ１）を示す概略図である。
【図１６】図１６は、他の実施形態に係るケーブルの布設方法の工程（ｂ２）を示す概略図である。
【図１７】図１７は、他の実施形態に係るケーブルの布設方法の工程（ｂ３）を示す概略図である。
【図１８】図１８は、他の実施形態に係るケーブルの布設方法の工程（ｂ４）を示す概略図である。
【図１９】図１９は、他の実施形態に係るケーブルの布設方法の工程（ａ５）を示す概略図である。
【発明を実施するための形態】
【００１９】
以下、図を参照して、本実施形態に係るケーブルの布設方法および連結ユニットを説明する。
【００２０】
図１は、本実施形態に係るケーブルの布設方法を示す概略図である。図２、図５〜図８、図１１および図１２は、本実施形態に係るケーブルの布設方法の各工程を示す概略図である。図３および図４は、連結ユニットの接続状態を示す図である。図９および図１０は、ケーブルとリードワイヤーとの接続状態を示す図である。
【００２１】
〔ケーブルの布設方法〕
図１を参照して、本実施形態に係るケーブルの布設方法においては、作業員１によって、電柱１０（１０ａ、１０ｂ）間に架設されたメッセンジャーワイヤー１１に、螺旋状ハンガーユニット１２１等が複数接続した螺旋状ハンガーが吊り下げられ、螺旋状ハンガー１２の内部空間にケーブル（図示省略）が挿通される。螺旋状ハンガーユニット１２の先端および後端にはそれぞれ先端コネクタ１２ａおよび後端コネクタ１２ｂが設けられており、任意の螺旋状ハンガーユニットの先端コネクタ１２ａと、他の螺旋状ハンガーユニットの後端コネクタ１２ｂを嵌合し、連結することにより、所定長さの螺旋状ハンガー１２とすることができる。このとき、螺旋状ハンガーユニットの送りだしには、リードワイヤー１３が用いられる。螺旋状ハンガー１２の内部空間とは、螺旋状ハンガーの内部に円筒状に形成される空間であり、各種ケーブルが挿通され、収容される。
【００２２】
メッセンジャーワイヤー１１は、例えば、外径５．４ｍｍ（１８ｍｍ２）〜９．６ｍｍ（５５ｍｍ２）の亜鉛メッキ鋼撚り線を用いることができる。
【００２３】
螺旋状ハンガー１２は、例えば、内径３５ｍｍ〜１００ｍｍ、３．２ｍｍの亜鉛めっき鋼線（ＳＷＲＨ７７Ａ（ＪＩＳ  Ｇ  ３５０６適合）の鋼線にＪＩＳ  Ｇ  ３５３７に準じた亜鉛めっき処理を施した鋼線）をらせん状に成形し、耐候性を有した高密度ＰＥを被覆したものを用いることができる。両端に接続が容易な耐候性に優れたコネクタを有するものを用いるのがよい。
【００２４】
リードワイヤー１３は、例えば、ＰＰ、ＡＡＳ、ＰＡ等の滑性の良い樹脂を被覆したＦＲＰロッド又はＣＦＲＰロッドである。ＦＲＰ又はＣＦＲＰロッドは、例えば、外径５〜１１ｍｍである。リードワイヤー１３は、例えば、外径６．０〜１４ｍｍである。
【００２５】
図１〜図４を参照して、本実施形態に係るケーブルの布設方法の工程（１）においては、一方の電柱１０ａ付近において、複数の螺旋ハンガーユニット１２１、１２２・・・のうちの任意の螺旋状ハンガーユニットを、最先端に位置する第一螺旋状ハンガーユニット１２１として、メッセンジャーワイヤー１１に吊り下げる。このとき、第一らせん状ハンガーユニット１２１の先端コネクタ１２ａには、リードワイヤー１３のコネクタ１３ａが、連結ユニット１４を介して接続されており、また、リードワイヤー１３は、第一螺旋状ハンガーユニット１２１の内部空間に挿通されている。なお、電柱１０ａ付近とは、実際には、電柱１０ａ付近で作業する作業員１が作業可能な範囲である。
【００２６】
図１〜図３および図５を参照して、本実施形態に係るケーブルの布設方法の工程（２）においては、第一螺旋状ハンガーユニット１２１の後端コネクタ１２ｂに、他の螺旋状ハンガーユニット１２２の先端コネクタ１２ａが接続される。このとき、第一螺旋状ハンガーユニット１２１および螺旋状ハンガーユニット１２２には、リードワイヤー１３が挿通されている。この状態で、リードワイヤー１３が他方の電柱１０ｂに向かって送り出される。これによって、第一螺旋状ハンガーユニット１２１および他の螺旋状ハンガーユニット１２２の相対的位置を他方の電柱１０ｂに向けて移動することができる。
【００２７】
図１〜図３および図６を参照して、本実施形態に係るケーブルの布設方法の工程（３）においては、他の螺旋状ハンガーユニット１２２の後端コネクタに、さらに他の螺旋状ハンガーユニット１２３の先端コネクタ１２ａが接続され、リードワイヤー１３が他方の電柱１０ｂに向かって送り出される。この作業をリードワイヤー１３の先端コネクタ１３ａ他方の電柱１０ｂ付近に到達するまで繰り返す。なお、電柱１０ｂ付近とは、実際には、電柱１０ｂ付近で作業する作業員１が作業可能な範囲である。
【００２８】
図１〜図３および図７を参照して、本実施形態に係るケーブルの布設方法の工程（４）においては、連結ユニット１４が、第一螺旋状ハンガーユニット１２１の先端コネクタ１２ａおよびリードワイヤー１３のコネクタ１３ａから取り外される。なお、連結ユニット１４の、第一螺旋状ハンガーユニット１２１の先端コネクタ１２ａおよびリードワイヤー１３のコネクタ１３ａからの取り外しは、下記の工程（５）の後に行ってもよい。
【００２９】
図１および図７を参照して、本実施形態に係るケーブルの布設方法の工程（５）においては、第一螺旋状ハンガーユニット１２１の先端部が、クランプ１５によってメッセンジャーワイヤー１１に固定され、複数の螺旋状ハンガーユニットのうち、最後端の螺旋状ハンガーユニット１２９の後端部が、クランプ１５によってメッセンジャーワイヤー１１に固定される。このときの螺旋状ハンガーユニットの固定位置には、特に制約がないが、電柱１０ａ、１０ｂ付近で作業する作業員１が作業可能な範囲であることが好ましく、実際には、第一螺旋状ハンガーユニット１２１の先端部（概ね終端から５００ｍｍまでの範囲）および最後端の螺旋状ハンガーユニット１２９の後端部（概ね終端から５００ｍｍまでの範囲）である。第一螺旋状ハンガーユニット１２１の先端部および最後端の螺旋状ハンガーユニット１２９の後端部に加え、電柱１０ａ、１０ｂの中間付近において、螺旋状ハンガーユニットをクランプ１５によってメッセンジャーワイヤー１１に固定してもよい。
【００３０】
クランプ１５は、市販のものを用いることができる。例えば、２枚の金属プレートでメッセンジャーワイヤー１１と螺旋状ハンガー１２を挟んだ状態で、ボルト／ナットで固定するものを用いることができる。特に、メッセンジャーワイヤー１１と螺旋状ハンガー１２を取り付けた時に、把持力１９６Ｎ以上とする。
【００３１】
本実施形態に係るケーブルの布設方法においては、上記の（１）〜（５）の工程を行い、その後に、螺旋状ハンガー１２内に、ケーブル１６が布設される。ケーブルの布設方法としては、下記の方法がある。
【００３２】
図１、図８〜図１１を参照して、本実施形態に係るケーブルの布設方法の工程（ａ１）においては、リードワイヤー１３の先端コネクタ１３ａが、ケーブル１６の先端のコネクタ１６ａに嵌合することにより、取り付けられる。ケーブル１６は、光ケーブル、メタル通信ケーブル、同軸ケーブル、配電ケーブル等である。ケーブル１６の外径は、（らせん状ハンガーの内部空間の内径−メッセンジャーワイヤーの外径）より十分小さいことが求められる。複数配線する場合は、ケーブルの断面積の合計のらせん状ハンガーの内部空間の軸に垂直な面の面積に対する割合（ケーブル占有率）が６０％未満であることが好ましい。また、ケーブルに掛かる引張力は、ケーブルの許容張力以下とする。
【００３３】
なお、リードワイヤー１３の先端コネクタ１３ａと、ケーブル１６の先端のコネクタ１６ａとの接続手段は、図１０および図１１に示す例に限定されない。例えば、リードワイヤー１３の先端コネクタ１３ａおよびケーブル１６の先端のコネクタ１６ａが、雄ネジおよび雌ネジで構成されていてもよいし、リードワイヤー１３の先端コネクタ１３ａにフック状のアダプタが取り付けられており、ケーブル１６の先端のコネクタ１６ａがリング状の治具で構成されており（または、先端コネクタ１６ａにリング状のアダプタが取り付けられており）、フックをリングに引っ掛けるようにしてもよい。
【００３４】
図１、図１０〜図１２を参照して、本実施形態に係るケーブルの布設方法の工程（ａ２）においては、リードワイヤー１３が一方の電柱１０ａに向かって引き込まれ、リードワイヤー１３の引き込みは、その先端コネクタ１３ａが一方の電柱１０ａ付近に到達するまで行なわれる。リードワイヤー１３の送り出しおよび引き込みは、リール１３ｂによって行う。
【００３５】
図１、図１０、図１１および図１３を参照して、本実施形態に係るケーブルの布設方法の工程（ａ３）においては、リードワイヤー１３の先端コネクタ１３ａが、ケーブル１６の先端のコネクタ１６ａから取り外される。このようにして、ケーブル１６が電柱１０間に布設される。なお、上記の説明では、一本のケーブル１６を布設する方法について述べたが、ケーブル１６の本数やサイズには制約がない。螺旋状ハンガー１２の内部空間に収容可能な本数、サイズのケーブル１６を布設できる。
【００３６】
以上、主として、電柱１０ａ，１０ｂ間の距離が短い場合又は光ドロップケーブルの様に比較的軽量なケーブルには、リードワイヤー１３の先端コネクタ１３ａにケーブル１６の先端のコネクタ１６ａを接続して、引き込むことが可能であるが、電柱１０ａ，１０ｂ間の距離が長い場合又はケーブル重量が重い場合には、人力では引き込めない場合がある。このような場合には、牽引ロープを動力付きリールで牽引してもよい。以下、別の実施形態に係るケーブルの布設方法を説明する。この方法においても、上記の（１）〜（５）の工程を行うのは、上記の例と同様である。
【００３７】
図１、図１４および図１５を参照して、本実施形態に係るケーブルの布設方法の工程（ｂ１）においては、リードワイヤー１３の先端コネクタ１３ａが、牽引ロープ１７の先端のコネクタ１７ａに嵌合することにより、取り付けられる。牽引ロープ１７は、例えば、ポリエステル、ナイロン等の樹脂繊維ロープが用いられる。
【００３８】
なお、リードワイヤー１３の先端コネクタ１３ａと、牽引ロープ１７の先端のコネクタ１７ａの接続手段は、特に制約はない。例えば、リードワイヤー１３の先端コネクタ１３ａにフック状のアダプタが取り付けられており、牽引ロープ１７の先端のコネクタ１７ａがリング状の治具で構成されており、フックをリングに引っ掛けるようにしてもよい。
【００３９】
図１、図１５および図１６を参照して、本実施形態に係るケーブルの布設方法の工程（ｂ２）においては、リードワイヤー１３が一方の電柱１０ａに向かって引き込まれ、リードワイヤー１３の引き込みは、その先端コネクタ１３ａが一方の電柱１０ａ付近に到達するまで行なわれる。リードワイヤー１３の送り出しおよび引き込みは、リール１３ｂによって行う。
【００４０】
図１および図１７を参照して、本実施形態に係るケーブルの布設方法の工程（ｂ３）においては、リードワイヤー１３の先端コネクタ１３ａが、牽引ロープ１７の先端のコネクタ１７ａから取り外される。
【００４１】
図１、図１７および図１８を参照して、本実施形態に係るケーブルの布設方法の工程（ｂ４）においては、牽引ロープ１７の先端のコネクタ１７ａが、ケーブル１６の先端のコネクタ１６ａに嵌合することにより、取り付けられる。牽引ロープ１７の先端コネクタ１７ａと、ケーブル１６の先端のコネクタ１６ａとの接続手段には特に制約がない。例えば、ケーブル１６の先端のコネクタ１６ａにフック状のアダプタが取り付けられており、牽引ロープ１７の先端コネクタ１７ａがリング状の治具で構成されており、フックをリングに引っ掛けるようにしてもよい。
【００４２】
図１、図１８および図１９を参照して、本実施形態に係るケーブルの布設方法の工程（ｂ５）においては、牽引ロープ１７が他方の電柱１０ｂに向かって引き込まれ、牽引ロープ１７の引き込みは、その先端コネクタ１７ａが一方の電柱１０ａ付近に到達するまで行なわれる。リードワイヤー１３の送り出しおよび引き込みは、リール１３ｂによって行う。
【００４３】
このようにして、ケーブル１６が電柱１０間に布設される。なお、上記の説明では、一本のケーブル１６を布設する方法について述べたが、ケーブル１６の本数やサイズには制約がない。螺旋状ハンガー１２の内部空間に収容可能な本数、サイズのケーブル１６を布設できる。また、上記の例では、ケーブルを二本の電柱１０ａ，１０ｂ間に布設する場合を例にとって説明したが、このような例に限定されない。すなわち、本発明は、三本以上の電柱間に布設する場合にも適用でき、この場合、リードワイヤー１３の引きこみ、牽引ロープ１７の引きこみは、二本の電柱間のみならず、三本以上の電柱間で行なうことも可能である。
【００４４】
〔連結ユニット〕
図３および図４に示すように、本実施形態に係るケーブルの布設方法に用いられる連結ユニット１４は、一端に螺旋状ハンガーユニット１２１の先端コネクタ１２ａに嵌合する第一コネクタ１４ａと、他端にリードワイヤー１３のコネクタ１３ａに嵌合する第二コネクタ１４ｂとを備える棒状本体を有する。そして、螺旋状ハンガーユニット１２１の先端コネクタ１２ａと第一コネクタ１４ａとを嵌合し、リードワイヤー１３のコネクタ１３ａと第二コネクタ１４ｂとを嵌合することにより、第一螺旋状ハンガーユニット１２１とリードワイヤー１３とを強固に接続することができる。
【００４５】
ここで、螺旋状ハンガーユニット１２１の先端コネクタ１２ａおよび第一コネクタ１４ａ、ならびに、リードワイヤー１３のコネクタ１３ａおよび第二コネクタ１４ｂは、脱着可能な構成であることが好ましい。これにより、連結ユニット１４の再利用が可能となる。また、第二コネクタ１４ｂの形状を、ケーブル１６の先端のコネクタ１６ａと同じ形状にすることが好ましい。これによって、リードワイヤー１３と、連結ユニット１４またはケーブル１６との着脱が容易となる。
【００４６】
連結ユニット１４の棒状本体は、螺旋状ハンガーユニット１２１の螺旋角度に沿った第一直線部１４ｃと、螺旋状ハンガーユニット１２１の進行方向（円筒状の内部空間の軸方向）に沿った第二直線部１４ｄと、第一直線部１４ｃと第二直線部１４ｄとに接続された湾曲部１４ｅを備える。これにより、螺旋状ハンガーユニット１２１およびリードワイヤー１３との着脱が容易となる。
【００４７】
連結ユニット１４の棒状本体の材質は、少なくとも引張強度が２００Ｎ以上であることが好ましく、例えば、鋼線、鋼棒などを用いることができる。また、引張強度が２００Ｎ以上であれば、紐状体、チェーンなどを用いてもよい。
【産業上の利用可能性】
【００４８】
本発明によれば、螺旋状ハンガーのリードワイヤーへの取り付け、取り外し、リードワイヤーの送り出しが容易であり、作業性がよく、ケーブルの布設を行うことが可能となる。特に、本発明は、電柱間の距離が長い布設を行なう場合に有用である。
【符号の説明】
【００４９】
１    作業員
１０（１０ａ、１０ｂ）  電柱
１１  メッセンジャーワイヤー
１２  螺旋状ハンガー
１２１〜１２９  螺旋状ハンガーユニット
１２ａ  先端コネクタ
１２ｂ  後端コネクタ
１３  リードワイヤー
１３ａ  コネクタ
１３ｂ  リール
１４  連結ユニット
１４ａ  第一コネクタ
１４ｂ  第二コネクタ
１４ｃ  第一直線部
１４ｄ  第二直線部
１４ｅ  湾曲部
１５  クランプ
１６  ケーブル
１６ａ  コネクタ
１７  牽引ロープ
１７ａ  コネクタ
【図１】
2021530186.tif 000003
【図２】
2021530186.tif 000004
【図３】
2021530186.tif 000005
【図４】
2021530186.tif 000006
【図５】
2021530186.tif 000007
【図６】
2021530186.tif 000008
【図７】
2021530186.tif 000009
【図８】
2021530186.tif 000010
【図９】
2021530186.tif 000011
【図１０】
2021530186.tif 000012
【図１１】
2021530186.tif 000013
【図１２】
2021530186.tif 000014
【図１３】
2021530186.tif 000015
【図１４】
2021530186.tif 000016
【図１５】
2021530186.tif 000017
【図１６】
2021530186.tif 000018
【図１７】
2021530186.tif 000019
【図１８】
2021530186.tif 000020
【図１９】
2021530186.tif 000021
【国際調査報告】
2021530186.tif 000022